(57)【要約】【課題】連続ドラマ等のシリーズ物の番組を、所定のフォルダに自動的に正確に録画保存すること。【解決手段】記録媒体１０９に番組を録画し再生する記録再生部１０８と、番組の録画予約情報を記憶するメモリ１１０と、番組の録画予約の設定と番組を保存するフォルダの制御を行う制御部１１１とを備える。制御部１１１は、録画予約設定時の録画番組の保存先フォルダとして、番組名と同じ名称を有する特定フォルダを選択する項目２０７を設け、特定フォルダが選択された場合、予約された番組を録画する際に番組名と同じ名称の特定フォルダを作成して当該番組を保存する。また制御部は、録画予約設定時に繰り返し録画が予約された場合、該当する番組を繰り返し録画する際特定フォルダに保存させる。【選択図】図２
2009100368.tif 000002
【特許請求の範囲】
【請求項１】
デジタル放送番組をフォルダに分類して記録媒体に録画するデジタル放送録画装置において、
上記記録媒体に番組を録画し再生する記録再生部と、
番組の録画予約情報を記憶するメモリと、
番組の録画予約の設定と番組を保存するフォルダの制御を行う制御部とを備え、
該制御部は、録画予約設定時の録画番組の保存先フォルダとして、番組名と同じ名称を有する特定フォルダを選択する項目を設け、該特定フォルダが選択された場合、予約された番組を録画する際に番組名と同じ名称の特定フォルダを作成して当該番組を保存することを特徴とするデジタル放送録画装置。
【請求項２】
請求項１に記載のデジタル放送録画装置において、
前記制御部は、録画予約設定時に繰り返し録画が予約された場合、該当する番組を繰り返し録画する際前記特定フォルダに保存させることを特徴とするデジタル放送録画装置。
【請求項３】
デジタル放送番組をフォルダに分類して記録媒体に録画するデジタル放送録画装置において、
上記記録媒体に番組を録画し再生する記録再生部と、
番組を保存するフォルダの制御を行う制御部とを備え、
該制御部は、録画した番組のジャンルにより当該番組がシリーズ物の番組であると判定した場合、当該番組の番組名と同じ名称を有する特定フォルダを作成し、もしくは既に同じ名称の特定フォルダが存在するときはそのフォルダに当該番組を保存することを特徴とするデジタル放送録画装置。
【請求項４】
請求項２に記載のデジタル放送録画装置において、
前記制御部は、前記繰り返し録画した番組の番組名と前記特定フォルダの名称とが少なくともその一部が一致するかどうかを判定し、一致しないと判定した場合は当該番組を前記特定フォルダには保存しないことを特徴とするデジタル放送録画装置。
【請求項５】
デジタル放送番組をフォルダに分類して記録媒体に録画するデジタル放送録画方法において、
録画予約設定時の録画番組の保存先フォルダとして、番組名と同じ名称を有する特定フォルダを選択する項目を設け、
該特定フォルダが選択された場合、予約された番組を録画する際に番組名と同じ名称の特定フォルダを作成して当該番組を保存することを特徴とするデジタル放送録画方法。
【請求項６】
請求項５に記載のデジタル放送録画方法において、
録画予約設定時に繰り返し録画が予約された場合、該当する番組を繰り返し録画する際前記特定フォルダに保存することを特徴とするデジタル放送録画方法。
【請求項７】
デジタル放送番組をフォルダに分類して記録媒体に録画するデジタル放送録画方法において、
録画した番組のジャンルにより当該番組がシリーズ物の番組であると判定した場合、当該番組の番組名と同じ名称を有する特定フォルダを作成し、もしくは既に同じ名称の特定フォルダが存在するときはそのフォルダに当該番組を保存することを特徴とするデジタル放送録画方法。
【請求項８】
請求項６に記載のデジタル放送録画方法において、
前記繰り返し録画した番組の番組名と前記特定フォルダの名称とが少なくともその一部が一致するかどうかを判定し、
一致しないと判定した場合は当該番組を前記特定フォルダには保存しないことを特徴とするデジタル放送録画方法。
【発明の詳細な説明】
【技術分野】
【０００１】
本発明は、デジタル放送番組をフォルダに分類して録画するデジタル放送録画装置及びその録画方法に関するものである。
【背景技術】
【０００２】
デジタル放送番組をＨＤＤ等の記録媒体に録画するとき、内容の関連する番組を共通のフォルダにて録画保存すると便利である。その場合、フォルダは事前にユーザが手動で作成しておき、録画予約登録時に既に作成してあるフォルダを指定して、録画番組をそのフォルダに格納していた。あるいは、既に録画されている番組と同じ名前の番組が予約録画されたときに、自動的に番組名と同じフォルダを作成（フォルダ自動作成）して、それ以降は作成したフォルダに格納していた。
【０００３】
特許文献１には、記録したい条件に適合した特定のフォルダに映像データを自動で記録保存することを目的とし、映像データ記録時にユーザが記録日時や放送チャンネルなどの記録条件を設定する記録条件設定手段と、ディスク上の各フォルダに設定されているフォルダ属性情報を取得する取得手段と、前記記録条件設定手段で設定した記録条件に適合するフォルダがない場合に新たにフォルダを作成する作成手段を備える情報記録再生装置が開示される。この構成により、フォルダ属性情報に応じて映像データがフォルダごとに分類して記録可能であると述べられている。
【０００４】
【特許文献１】特開２００７−８０４４７号公報
【発明の開示】
【発明が解決しようとする課題】
【０００５】
デジタル放送番組をＨＤＤなどの記録媒体に録画し再生する場合、録画番組数が増加すると、録画番組の中から所望の番組を探して再生するのに手間がかかってしまう。前記したように、フォルダを作成して同じシリーズのドラマ等をフォルダ毎に分類して録画することで所望の番組を見つけ易くなる。しかしながら、従来技術ではそのフォルダを事前にユーザが作成しておく必要があり、ユーザにとっては不便であった。特許文献１の場合、新たに作成するフォルダに対して、ユーザが記録日時や放送チャンネルなどの記録条件を設定しなければならず手間がかかってしまう。
【０００６】
また前記したフォルダの自動作成方法では、同じ番組名の番組データが２つ以上録画された場合に、ＨＤＤにその番組名のフォルダを自動的に作成するものである。そして、それ以降同じ番組名の番組データを録画するとき、自動的にそのフォルダに格納することができる。しかしながら、新たに録画する番組が連続ドラマのようなシリーズ物であっても、番組名の一部がフォルダの名称と異なる場合があり、その結果、本来格納すべきフォルダに保存されないことがあった。また、特許文献１のように、記録日時や放送チャンネルなどの記録条件をもとに分類する場合、シリーズ物の放送が終了した後においても同一時間帯に放送される他の番組を継続して保存することになり、ユーザはフォルダの記録条件等を変更せねばならない。
【０００７】
本発明は、上記従来技術の課題を鑑み、連続ドラマ等のシリーズ物の番組を、所定のフォルダに自動的に正確に録画保存することを目的とする。
【課題を解決するための手段】
【０００８】
本発明は、デジタル放送番組をフォルダに分類して記録媒体に録画するデジタル放送録画装置において、記録媒体に番組を録画し再生する記録再生部と、番組の録画予約情報を記憶するメモリと、番組の録画予約の設定と番組を保存するフォルダの制御を行う制御部とを備える。制御部は、録画予約設定時の録画番組の保存先フォルダとして、番組名と同じ名称を有する特定フォルダを選択する項目を設け、特定フォルダが選択された場合、予約された番組を録画する際に番組名と同じ名称の特定フォルダを作成して当該番組を保存する。また制御部は、録画予約設定時に繰り返し録画が予約された場合、該当する番組を繰り返し録画する際特定フォルダに保存させる。
【０００９】
本発明は、デジタル放送番組をフォルダに分類して記録媒体に録画するデジタル放送録画方法において、録画予約設定時の録画番組の保存先フォルダとして、番組名と同じ名称を有する特定フォルダを選択する項目を設け、特定フォルダが選択された場合、予約された番組を録画する際に番組名と同じ名称の特定フォルダを作成して当該番組を保存する。また、録画予約設定時に繰り返し録画が予約された場合、該当する番組を繰り返し録画する際前記特定フォルダに保存する。
【発明の効果】
【００１０】
本発明によれば、連続ドラマ等のシリーズ物の番組を、所定のフォルダに自動的に正確に録画保存することができるので、ユーザの手間が省けて使い勝手が向上する。
【発明を実施するための最良の形態】
【００１１】
以下、本発明の実施の形態を図面を用いて説明する。
【実施例１】
【００１２】
図１は、本発明にかかるデジタル放送録画装置の一実施例を示すブロック図である。本実施例のデジタル放送録画装置１００はテレビジョン受像機と一体化された形態を示し、デジタル放送を受信し、受信した番組を録画・再生するとともに、映像・音声をディスプレイへ出力して表示する機能を有する。
【００１３】
装置構成は、１０１はデジタル放送を受信して所望のチャンネルを選局するチューナ、１０２は受信信号を映像・音声／データストリームに分離するデマルチプレクサ、１０３は符号化されたストリームの復号化処理を行うデコーダ、１０４は映像・音声を表示する液晶ディスプレイ、ＰＤＰなどの表示部である。１０５はグラフィックコントローラで、放送番組表や録画予約等の操作画面を作成して表示部１０４にて表示させる。１０６は暗号復号部で、暗号化されて送られる映像音声信号の暗号復号化処理を行う。１０７は番組情報処理部で、受信信号から番組情報（番組名、放送日時、番組内容など）を取得し、録画予約設定のために用いる。１０８は記録再生部で、ＨＤＤやＤＶＤなどの各種記録媒体１０９に番組を録画し、再生する。その際、メモリ１１０には録画予約情報を記憶し、それに従い録画を行う。１１１は装置全体の制御を司る制御部（マイコン）で、特に、ユーザからの操作（リモコン入力など）により番組の録画予約設定、番組の保存先フォルダの作成と制御等を行う。
【００１４】
上記構成では、デジタル放送録画装置をテレビジョン受像機と一体化した形態としたが、これらを分離して構成しても構わない。また表示部１０４や記録媒体１０９を、外部装置として接続しても構わない。
【００１５】
本実施例のデジタル放送録画装置では、録画したい番組を予約登録する際に、保存先のフォルダとして、番組名と同じ名称のフォルダ（以下、「特定フォルダ」と呼ぶ）を作成するという選択項目を新たに追加したことに特徴がある。すなわち、録画予約設定画面の保存先フォルダの選択項目として、新たに「特定フォルダ」を設ける。ユーザがこの項目を選択した場合は、予約録画実行時に「特定フォルダ」を作成して保存する。さらに予約登録が毎日または毎週のような繰り返し録画の場合は、繰返し放送されるシリーズ番組を、この「特定フォルダ」に自動的に保存する。以下、これを具体的に説明する。
【００１６】
図２は、本実施例における録画予約設定画面の一例を示す図である。（ａ）はフォルダ指定画面、（ｂ）はフォルダ確認画面であり、録画番組の保存先フォルダとして特定フォルダを選択した場合を示す。
【００１７】
（ａ）のフォルダ指定画面２０１には、録画する番組名２０２「地球紀行ＳＰ  第１話  ・・・」が表示され、予約設定項目として、録画先２０３、フォルダ指定２０４、毎回予約２０５などを設定する。ここではフォルダ指定２０４の選択項目を示し、「なし」２０６はフォルダに保存しない場合（未分類の場合）、「この番組名」２０７は番組名と同じ特定フォルダに保存する場合、「野球中継」２０８以降は既に作成しているフォルダに保存する場合である。そこで「この番組名」２０７を選択すると（ｂ）の画面に移行する。
【００１８】
（ｂ）のフォルダ確認画面２１１には、録画先２１３、フォルダ指定２１４、毎回予約２１５などの設定条件が表示され、フォルダ指定２１４では「この番組名」２１７が設定されていることが分かる。そこで、フォルダ作成の確認メッセージ２１８として「フォルダ「地球紀行ＳＰ」を作成しますか？」と表示される。この場合、特定フォルダの名称を「地球紀行ＳＰ」とすることを知らせている。フォルダ名は、番組名全体ではなく先頭部分の文字で十分識別できる。ユーザが「はい」２１９を選択してこれを承諾すれば、「地球紀行ＳＰ」という特定フォルダが作成される。そして、毎回予約２１５の設定条件に従い指定された日時（ここでは毎週火曜）に繰返し録画を行うとともに、その番組は「地球紀行ＳＰ」という特定フォルダに自動的に保存される。
【００１９】
図３は、録画番組の一覧表示画面の一例を示す図である。一覧表示画面３０１は、フォルダ表示エリア３０２と録画番組表示エリア３０３で構成される。フォルダ表示エリア３０２には作成したフォルダ名が表示され、例えば前記図２で自動作成された「地球紀行ＳＰ」の特定フォルダ３０４を選択すると、録画番組表示エリア３０３には特定フォルダ「地球紀行ＳＰ」に格納されている番組コンテンツを一覧表示する。この場合、特定フォルダ「地球紀行ＳＰ」には「地球紀行ＳＰ」というシリーズ物の番組が、第１話、第２話、第３話、・・・、総集編、と抜けなく保存されている。また各番組には、番組名３０５とその代表画像であるサムネイル画像３０６を表示する。ユーザはサムネイル画像を参照して、所望の番組を選択し再生視聴することができる。
【００２０】
このように本実施例で設けた番組名と同じ名称の特定フォルダ（図２では「この番組名」２０７）を選択すると、自動的に特定フォルダを作成するのでユーザの手間が省ける。そして、毎回予約２１５などで設定した繰返し録画した番組については、特定フォルダ（図３では「地球紀行ＳＰ」）に自動的に保存される。よって、シリーズ物の番組名が一部変更になっても（例えば「総集編：地球紀行ＳＰ」）、確実に所定のフォルダに保存することができる。
【００２１】
次に、本発明のデジタル放送録画方法の一実施例を説明する。
図４は、本実施例における保存先フォルダの制御を示すフローチャートである。ユーザは図２の録画予約設定画面で、録画先２０３、フォルダ指定２０４、毎回予約２０５などの項目を設定すると、これらの条件はメモリ１１０に記憶される。マイコン１１１はこれらの条件に従い、録画の実行、フォルダの作成、フォルダへの保存などを行う。以下、マイコン１１１の制御を説明する。
【００２２】
Ｓ４０１は録画予約が設定されて実行待ちの状態であり、Ｓ４０２では予約された番組を指定された媒体（例えばＨＤＤ）に録画する。Ｓ４０３では録画した当該番組を保存するフォルダについて判定する。フォルダ指定２０４によりいずれかのフォルダ２０７，２０８に設定されていればＳ４０４へ進む。フォルダ指定２０４が「なし」２０５の場合はＳ４０８に進み、当該番組を未分類として保存する。
【００２３】
Ｓ４０４では、フォルダ指定２０４が番組名と同じ特定フォルダ（「この番組名」２０７）であるかどうかを判定する。Ｓ４０４の判定でＹｅｓの場合には、Ｓ４０５で該当する特定フォルダが既に存在するかどうかを判定する。通常、シリーズ物の番組を初めて録画する場合は存在せず、次回以後録画する場合は存在することになる。Ｓ４０５の判定でＮｏ（存在しない）の場合には、Ｓ４０６で特定フォルダを作成する。そしてＳ４０７では指定されたフォルダ（ここでは特定フォルダ）に保存する。Ｓ４０５の判定でＹｅｓ（存在する）の場合には、Ｓ４０７では作成済みの特定フォルダに保存する。
【００２４】
Ｓ４０４の判定でＮｏの場合には、Ｓ４０７では番組名とは異なる指定されたフォルダ２０８に保存する。
【００２５】
Ｓ４０９では、番組録画の繰返し予約があるかどうかを判定し、予約があればＳ４０１に戻り次の番組録画を繰り返す。
【００２６】
以上の制御により、ユーザによりフォルダ指定が特定フォルダに設定されている場合、その番組名と同じ名称の特定フォルダを作成し、以後のシリーズ物の番組をその特定フォルダに自動的に保存することができる。その際、保存する番組の番組名と保存先の特定フォルダの名称とが完全に一致しなくとも、シリーズ物の番組を確実に保存することができる。
【００２７】
なお、本実施例では特定フォルダの作成を一番最初の予約録画実行後に作成する例を示したが、特定フォルダの作成を、フォルダ指定が特定フォルダと選択され予約録画が登録された直後に行っても良い。
【実施例２】
【００２８】
次に、録画番組がシリーズ物である場合は自動的に番組名と同じ名称の特定フォルダを作成するとともに、繰返し録画した番組についてはその特定フォルダに保存する例を説明する。この場合には、実施例１（図２）で述べたフォルダ指定画面において、「この番組名」２０７の選択項目は必要としない。
【００２９】
図５は、本実施例における保存先フォルダの制御を示すフローチャートである。
Ｓ５０１は録画予約が設定されて実行待ちの状態であり、Ｓ５０２では予約された番組を指定された媒体に録画する。Ｓ５０３では録画した当該番組のジャンルを判定し、シリーズ物（例えばドラマやアニメ）かどうかを判定する。判定にはＥＰＧ（電子番組ガイド）などの番組情報を利用すれば良い。Ｓ５０３の判定でＹｅｓ（シリーズ物）の場合には、Ｓ５０４で番組名と同じ名称の特定フォルダが既に存在するかどうかを判定する。Ｓ５０４の判定でＮｏ（存在しない）の場合には、Ｓ５０５で特定フォルダを作成する。そしてＳ５０６では作成した特定フォルダに保存する。Ｓ５０４の判定でＹｅｓ（存在する）の場合には、Ｓ５０６では作成済みの特定フォルダに保存する。
【００３０】
Ｓ５０３の判定でＮｏ（シリーズ物以外）の場合には、Ｓ５０７に進み、当該番組を未分類として保存する。
【００３１】
Ｓ５０８では、番組録画の繰返し予約があるかどうかを判定し、予約があればＳ５０１に戻り次の番組録画を繰り返す。
【００３２】
以上の制御により、録画番組がシリーズ物である場合は自動的に番組名と同じ特定フォルダを作成し、以後のシリーズ物の番組をその特定フォルダに自動的に保存することができる。これにより、ユーザの手間がさらに省ける効果がある。
【実施例３】
【００３３】
前記実施例１において、繰り返し予約により録画した番組が、シリーズ物の番組と異なる場合がある。例えば、シリーズ物の番組放送が終了したにもかかわらず同一時間帯の録画予約が継続して設定されていると、終了後の他の番組が引き続き特定フォルダに保存されてしまうことになる。そこで本実施例では、保存する番組の番組名と特定フォルダの名称の一致を確認する工程を設け、少なくともその一部が一致しない場合はそのフォルダには保存させないように制御する。
【００３４】
図６は、本実施例における保存先フォルダの制御を示すフローチャートである。Ｓ６０１からＳ６０９の各工程は、実施例１（図４）のＳ４０１からＳ４０９の各工程に対応しており、その説明を省略する。
【００３５】
本実施例では、Ｓ６０５にて該当する特定フォルダが既に存在すると判定した場合（Ｓ６０５でＹｅｓ）、さらにＳ６１０に進み、当該番組の番組名と特定フォルダの名称とが一致するかどうかを判定する。その場合、全部又は一部が一致すれば「一致する」と判定し、Ｓ６０７にて指定されたフォルダ（ここでは特定フォルダ）に保存する。もしＳ６１０で「一致しない」と判定すれば、Ｓ６０８に進み当該番組を未分類として保存する。
【００３６】
本実施例によれば、保存する番組の番組名と特定フォルダの名称の一致を確認し、一致しない場合はその特定フォルダには保存させないようにしたので、シリーズ物専用のフォルダに他の番組が誤って保存されることがない。
【００３７】
以上述べた各実施例は、デジタル放送を受信して所望の番組を録画保存する場合であるが、本発明は、ネットワークを介して所望の映像音声コンテンツをダウンロードするサービス形態の場合にも、コンテンツタイトルと同じ名称のフォルダを作成することでシリーズ物のコンテンツを自動的に同一フォルダに保存することができる。
【図面の簡単な説明】
【００３８】
【図１】本発明にかかるデジタル放送録画装置の一実施例を示すブロック図。
【図２】実施例１における録画予約設定画面の一例を示す図。
【図３】録画番組の一覧表示画面の一例を示す図。
【図４】実施例１における保存先フォルダの制御を示すフローチャート。
【図５】実施例２における保存先フォルダの制御を示すフローチャート。
【図６】実施例３における保存先フォルダの制御を示すフローチャート。
【符号の説明】
【００３９】
１００…デジタル放送録画装置
１０１…チューナ
１０４…表示部
１０５…グラフィックコントローラ
１０７…番組情報処理部
１０８…記録再生部
１０９…記録媒体（ＨＤＤ）
１１０…メモリ
１１１…制御部（マイコン）
２０４…フォルダ指定
２０７…特定フォルダ（番組名と同じ名称）の選択項目。
【図１】
2009100368.tif 000003
【図２】
2009100368.tif 000004
【図３】
2009100368.tif 000005
【図４】
2009100368.tif 000006
【図５】
2009100368.tif 000007
【図６】
2009100368.tif 000008